(57)【特許請求の範囲】
【請求項１】
外部機器に送信するための信号を送出する送信用信号処理部と、この送信用信号処理部からの信号を外部機器に対し送信する送信手段と、外部機器からの信号を受信する受信手段と、この受信手段により受信した外部機器からの信号を入力して出力信号として送出する受信信号処理部とを備えたデジタルミキシング装置のインサーション回路において、
前記受信手段と前記受信信号処理部間には受信手段が受信したオーディオ信号が正常か否かを受信信号処理部に送出するエラー信号ラインが接続され、かつ前記送信用信号処理部、前記受信信号処理部、前記受信手段間に切換手段が設けられ、
前記受信手段は外部機器からの信号が正常に受信されているかを判断し、その結果信号を前記エラー信号ラインを介し前記受信信号処理部に送出し、前記受信信号処理部は正常に受信されていないと判断した場合には前記切換手段を介し受信手段からの信号に換えて、前記送信用信号処理部から外部機器に対し送信するための信号を受信信号処理部に対し送出させることを特徴とするデジタルミキシング装置のインサーション回路。
【請求項２】
前記受信手段は外部機器から受信したシリアル信号フレームの状態により受信信号が正常か否かを判断することを特徴とする請求項１記載のデジタルミキシング装置のインサーション回路。
【発明の詳細な説明】
【０００１】
【発明の属する技術分野】
この発明は各種放送用、レコーディング用スタジオ等において使用されるオーディオ信号制御用のデジタルミキシング装置に関し、詳しくは外部にオーディオ信号の加工等を行う装置を接続するためのインサーション回路に関する。
【０００２】
【従来の技術】
従来この種のインサーション回路として、例えば図４に示す構成の回路があった。図において１は送信用信号処理部、２は受信信号処理部、３は送信手段、４は受信手段、５はオーディオ信号の加工等を行う外部機器である。
【０００３】
しかして、送信用信号処理部（ＤＳＰ：Digital Signal Processor）１から出力された加工用のデジタルオーディオ信号は、送信手段３であるシリアル送信ポートＴＸよりシリアル通信ライン７を介して外部機器５に送信される。外部機器５ではこのオーディオ信号を受信すると周知の技術手段により、デジタルオーディオ信号に対しエコー、イコライザ等の加工を加える。加工されたオーディオ信号は外部機器５からシリアル通信ライン７を介して受信手段４であるシリアル受信ポートＲＸに送信される。このシリアル受信ポート４は受信したオーディオ信号を内部バス６を介して受信信号処理部２であるＤＳＰに送出する。このＤＳＰ２は受信したオーディオ信号にその他の必要な処理（例えばミキシング等）を行い、放送用等の出力信号とする。
【０００４】
【発明が解決しようとする課題】
しかしながら、このような従来のインサーション回路は送信用信号処理部１→送信手段３→外部機器５→受信手段４→受信信号処理部２という単一の信号経路で構成され、受信手段はオーディオ信号が正常に受信されているか否かの判断を行っていない。しかもモニタ用とは異なり本線の系統であるため、例えば外部機器５が故障する等の異常が生じた場合、オーディオ信号が受信手段４に正常に受信されなくなり、オーディオ信号が途絶えてオンエア中であれば放送信号が途絶えるという放送事故を生じる恐れがあった。
【０００５】
この発明はかかる点に鑑みなされたもので、その目的とするところは、外部機器５からのオーディオ信号が正常に受信されているか否かを判断し、正常に受信されていないと判断したときには受信信号処理部に送出するオーディオ信号を外部機器５に送出するための信号に切り換えることにより、異常信号による放送出力や放送断などの事故の生じないインサーション回路を提供することにある。
【０００６】
【課題を解決するための手段】
上記課題を解決するため本発明は、外部機器５に送信するための信号を送出する送信用信号処理部１と、この送信用信号処理部１からの信号を外部機器５に対し送信する送信手段３と、外部機器５からの信号を受信する受信手段４と、この受信手段４により受信した外部機器５からの信号を入力して出力信号として送出する受信信号処理部２とを備えたデジタルミキシング装置のインサーション回路において、
前記受信手段４と前記受信信号処理部２間には受信手段４が受信したオーディオ信号が正常か否かを受信信号処理部２に送出するエラー信号ライン６ａが接続され、かつ前記送信用信号処理部１、前記受信信号処理部２、前記受信手段４間に切換手段８が設けられ、
前記受信手段４は外部機器５からの信号が正常に受信されているかを判断し、その結果信号を前記エラー信号ライン６ａを介し前記受信信号処理部２に送出し、前記受信信号処理部２は正常に受信されていないと判断した場合には前記切換手段８を介し受信手段４からの信号に換えて、前記送信用信号処理部１から外部機器５に対し送信するための信号を受信信号処理部２に対し送出させることとした。
【０００７】
また、前記受信手段４は外部機器５から受信したシリアル信号フレームの状態により受信信号が正常か否かを判断することとした、
【０００８】
【発明の実施の形態】
次に本発明の実施態様につき図に基づいて説明する。図１は本発明のインサーション回路の基本構成を示すブロック図で、図中１は送信用信号処理部、２は受信信号処理部、３は送信手段、４は受信手段、５はオーディオ信号の加工等を行う外部機器、６は内部バス、６ａはエラー信号ライン、７は通信ライン、８は切換手段である。なお、基本的構成は図４の回路と同一であり、各構成要素の詳細な説明は省略する。
【０００９】
次に動作について説明する。送信用信号処理部１は図に示すように、例えばデジタル信号を高速処理可能なＤＳＰが用いられるが、デジタル信号を処理し得るものであれば汎用のＣＰＵやＲＩＳＣなどを用いても良い。この送信用信号処理部１には図示しない入力ユニットから選択されたオーディオ入力信号等が入力され、フィルタ処理、レベル調整、ミキシング等の処理が加えられる。送信用信号処理部１で所定の処理が行われた送信用のオーディオ信号は内部バス６を介して送信手段３に送られる。送信手段３は、例えばシリアル送信ポートＴＸで構成されている。この送信手段３により送信用オーディオ信号は、通信ライン７を介して外部機器５に送信される。
【００１０】
外部機器５では送られてきたオーディオ信号に対しイコライザ、エコー等の処理を行い、通信ライン７を介して受信手段４に受信用のオーディオ信号を送出する。受信手段４は受信したオーディオ信号が正常な信号か否かを判断し、エラー信号ライン６ａを介して受信信号処理部２に送出する。受信信号処理部２では、受信手段４に入力された信号が正常なものであれば、内部バス６のルートを受信手段４からの信号が受けられるように切換手段８を操作する。
【００１１】
また、外部機器５が故障等により、受信手段４に受信される信号が異常であると判断した場合には、エラー信号ライン６ａを介して受信信号処理部２にエラー信号が送られ、受信信号処理部２は内部バス６のルートを送信用信号処理部１からの信号を受けるように切換手段８を操作する。これにより、受信信号処理部２には送信用信号処理部１からのオーディオ信号が入力され、外部機器５を通さない未処理の信号であるが、音声断等の放送事故は防止できる。
【００１２】
なお、上記の例では送信用信号処理部１と受信信号処理部２とは別個のものとして記載したが、実際の使用に際しては、例えば１つのＤＳＰで外部機器５に対し信号の授受を行うこともできる。また、切換手段８も図では有接点のスイッチとして記載されているが、実際には半導体を用いた信号切換装置や前記ＤＳＰ等の信号プロセッサ内部でのソフトウエアによる選択処理でも良い。
【００１３】
【実施例】
次に、受信オーディオ信号と受信手段４の具体的な実施例について説明する。図２は外部機器５から送られてくる信号のフォーマットを示したもので、シリアルデータの１フレーム分が示されている。そして、周知のようにこのようなフレームデータが複数（例えば１〜１９１）集合して１ブロックのデータとなる。なお、ここでは説明しないが送信データも同様のものである。
【００１４】
このフォーマットはＡＥＳ３−１９９２（Audio Engineering Society)に基づくもので、ビット０〜３が同期のために使用される特定のパターンのプリアンブル、ビット４〜２７はオーディオサンプルワードで、デジタルオーディオサンプルの大きさを表す最下位ビットから最上位ビットまで格納される。なお、ＡＵＸは場合により使用される補助サンプルビットである。Ｖは有効ビットでオーディオサンプルビットがアナログオーディオ信号に適しているかを表す。Ｕはユーザーデータビットで、使用者が何らかの情報を搬送するために使用する。Ｃはチャンネル状態ビットで、それぞれのオーディオチャンネルに付随する情報を搬送する。Ｐはパリティビットで奇数個のエラーの検出を行うためのビットである。
【００１５】
図３は受信手段４の具体的構成例であるデジタルオーディオインターフェースレシーバＩＣの構成を示すブロック図である。図中、端子ＲＸＰ、ＲＸＮに通信ラインを接続し、内部のＲＳ４２２レシーバで受信する。また、内蔵するＰＬＬによりクロックデータを再生する。デジタルオーディオ信号はＳＤＡＴＡ端子より出力され、チャンネルステータスとユーザーデータはそれぞれＣ，Ｕ端子より出力される。ＥＲＲ端子はパリティエラー、バイフェーズ符号違反またはＰＬＬのロックはずれのどれかが発生したときに出力される。
【００１６】
このように、ＥＲＲ端子により受信データにエラーが生じたことがわかる。そして、この各エラー端子の出力を専用のエラー信号ライン６ａを介し、あるいは内部バス６をエラー信号ライン６ａとして使用して、受信信号処理部２に送出することにより、受信信号処理部２は受信手段４の受信信号が正常か否か判断できる。
【００１７】
【発明の効果】
以上のように本発明によれば、外部機器からの信号が異常な時は、この外部機器に対して送信するための信号を直接出力用の信号としているので、
外部機器に異常が生じても、異常なオーディオ信号が放送されたり、オーディオ信号が途絶えてしまうといった事故を未然に防止できる。
【図面の簡単な説明】
【図１】本発明にかかるインサーション回路の基本構成を示すブロック図。
【図２】外部機器からのシリアルデータフォーマットの実施例を示した図。
【図３】受信手段の実施例であるレシーバＩＣの構成を示したブロック図。
【図４】従来のインサーション回路の一例を示した図である。
【符号の説明】
１    送信用信号処理部
２    受信信号処理部
３    送信手段
４    受信手段
５    外部機器
６    内部バス
６ａ  エラー信号ライン
７    通信ライン
８    切換手段
【図１】
0003778976.tif 000002
【図２】
0003778976.tif 000003
【図３】
0003778976.tif 000004
【図４】
0003778976.tif 000005